(57)【特許請求の範囲】
【請求項１】
小径ディスクまたは大径ディスクのいずれか選択された一枚のディスクをターンテーブルに送り込む搬送機構と、
前記ディスクを前記ターンテーブルに押圧するクランプ機構とを備えるディスクプレーヤにおいて、
前記ディスクに当接し、そのディスク直径に応じて回動可能な選択アームと、
前記ディスクに当接してディスク送り込み方向に移動可能なシフトバーと、
前記シフトバーに係合してこのシフトバーをディスク送り込み方向に移動可能なように連動して回動する始動アームと、
この始動アームを前記クランプ機構のクランプアームにカム結合させて回動を規制し、送り込まれるディスク直径の大小により前記始動アームを異なる位置に係止することが可能な内接カム手段と、
前記シフトバーをディスク送り込み方向と逆方向に付勢する第一偏倚手段と、前記始動アームを付勢して前記内接カムの異なる係止位置に保持する第二偏倚手段とを具備し、
前記第一偏倚手段の付勢力に抗して前記シフトバーを押動する前記ディスクが、前記選択アームを回動して前記始動アームを制御し、前記内接カムの係止位置のいずれかに保持される前記始動アームで前記シフトバーを規制することによって、直径の異なるディスクの中心を同一位置に位置決めすることを特徴とするディスクプレーヤ。
【請求項２】
前記第一偏倚手段および第二偏倚手段は、前記始動アームと前記クランプアームとの間に一本の引っ張りコイルバネを張設して構成したことを特徴とする請求項１に記載のディスクプレーヤ。
【請求項３】
前記始動アームは、前記クランプアームに前記ディスクの進行方向と直角に設けた直線溝で旋回軸が摺動自在に案内され、また、前記始動アームの旋回軸から離間した位置に立設されたカムフォロアピンが、送り込まれるディスクの直径の大小にそれぞれ対応させて前記内接カムに設けた第一、第二カム部のいずれかと前記引張コイルバネの付勢力で摺接を保ちながら前記始動アームの旋回を誘導し、前記第一、第二カムの終端に設けた第一ポケットおよび第二ポケットのいずれかに拘束されることで、前記直線溝に規制される前記旋回軸と協働で、前記始動バーの移動を抑止することを特徴とする請求項１または２に記載のディスクプレーヤ。
【請求項４】
前記カムフォロアピンの前記第一カム部から第二カム部への移行は、ディスク送り込み方向に移動する前記シフトバーの縦移動と、前記選択アームの揺動に連動する始動アームの横移動とが協働で空間に画定する経路に従う平面移動で行われることを特徴とする請求項１に記載のディスクプレーヤ。
【発明の詳細な説明】
【０００１】
【発明の属する技術分野】
本発明はＣＤ、ＬＤ、ＤＶＤ等を含む光ディスク信号を再生するディスクプレーヤに係わり、特に直径１２ｃｍの大径ディスクと直径８ｃｍの小径ディスクのいずれにも自動的に対応できるディスククランプ機構に関する。
【０００２】
【従来の技術】
再生する一枚のディスクが挿入口に手差されると、ターンテーブルまでの搬送からクランプまでを自動操作で行い、また再生終了後はディスクを自動操作で排出するディスクプレーヤにあっては、クランプ機構はディスク面に干渉しないようにディスク上面から空隙を介して上方に位置し、またターンテーブルは、ディスクと咬合する中央の突起がディスク下面の侵入を阻害しないようにディスク下面より下方に位置させなければならない。さらに、外部からの振動を遮断するために、装置をフローティング状態におくことを考慮すると、ディスク面の上下方向にはある程度の空隙を確保しなければならない。
【０００３】
また、大径と小径の二種類のディスクに対応させるためには、両方のディスクを識別して、それぞれのディスクに対応させて設定された環境を維持するロック機構が必要となり、光学的センサ、マイクロスイッチ、ソレノイドなど多くの周辺器材を使った自動化システムのルーチン構築の必要から相応の機構上の複雑さと部品点数の増加を招き、それらの収容空間とコストを増大させている。
【０００４】
特許第２９５５１１６号には、大小二種類の直径のディスクに対応可能なディスクローディング装置が開示されているが、ラックギヤ４やシフトプレート１１の側面がＣＤ１２，１３の面に垂直に配設されているので、この方向の寸法をこれ以上削減することができない。さらに、ストッパアーム８、ロックアーム９およびストッパアームスプリング８ａを含む機構がＣＤ１２，１３の面に垂直な厚さ方向の寸法と部品数の縮減を阻害している。
【０００５】
【発明が解決しようとする課題】
しかしながら、車載用あるいはコンピュータに組込まれて機能するディスクプレーヤにとって、軽量でコンパクトな外形と構造の簡潔さによる信頼性の確保と低廉な価格は常に市場から要求される課題である。
【０００６】
そこで本発明の目的は、大径と小径の二種類のディスクに対応でき、しかも簡潔な構成により部品点数を削減して厚み方向の寸法を極力低減し、コストの低廉なディスクプレーヤに適用する作動の確実な機構を提供することである。
【０００７】
【課題を解決するための手段】
上記の目的を達成するために、本発明に係わるディスクプレーヤは、基本的に小径ディスクまたは大径ディスクのいずれか選択された一枚のディスクをターンテーブルに送り込む搬送機構と、前記ディスクを前記ターンテーブルに押圧するクランプ機構とを備えるディスクプレーヤである。
【０００８】
そこで本発明に係わるディスクプレーヤは、前記ディスクに当接し、そのディスク直径に応じて回動可能な選択アームと、前記ディスクに当接してディスク送り込み方向に移動可能なシフトバーと、前記シフトバーに係合してこのシフトバーをディスク送り込み方向に移動可能なように連動して回動する始動アームと、この始動アームを前記クランプ機構のクランプアームにカム結合させて回動を規制し、送り込まれるディスク直径の大小により前記始動アームを異なる位置に係止することが可能な内接カム手段と、前記シフトバーをディスク送り込み方向と逆方向に付勢する第一偏倚手段と、前記始動アームを付勢して前記内接カムの異なる係止位置に保持する第二偏倚手段とを具備する。
【０００９】
そして、本発明に係わるディスクプレーヤは上記構成のもとに、前記第一偏倚手段の付勢力に抗して前記シフトバーを押動する前記ディスクが、前記選択アームを回動して前記始動アームを制御し、前記内接カムの係止位置のいずれかに保持される前記始動アームで前記シフトバーを規制することによって、直径の異なるディスクの中心を同一位置に位置決めする。
【００１０】
ここで前記第一偏倚手段および第二偏倚手段は、前記始動アームと前記クランプアームとの間に一本の引っ張りコイルバネを張設して構成した。また、前記始動アームは、前記クランプアームに前記ディスクの進行方向と直角に設けた直線溝で旋回軸が摺動自在に案内され、また、前記始動アームの旋回軸から離間した位置に立設されたカムフォロアピンが、送り込まれるディスクの直径の大小にそれぞれ対応させて前記内接カムに設けた第一、第二カム部のいずれかと前記引張コイルバネの付勢力で摺接を保ちながら前記始動アームの旋回を誘導し、前記第一、第二カムの終端に設けた第一ポケットおよび第二ポケットのいずれかに拘束されることで、前記直線溝に規制される前記旋回軸と協働で、前記始動バーの移動を抑止する。
【００１１】
前記カムフォロアピンの前記第一カム部から第二カム部への移行は、ディスク送り込み方向に移動する前記シフトバーの縦移動と、前記選択アームの揺動に連動する始動アームの横移動とが協働で空間に画定する経路に従う平面移動で行われ、機械的に形成された特定の案内溝によるものではないことを特徴とする。
【００１２】
【発明の実施の形態】
以下に本発明に係わるディスクプレーヤの一実施例を示す図面に基づいて実施の形態を説明する。図１は本発明に係わるディスクプレーヤ１０が待機位置（ホームポジション）にあるときの内部機構の概略を示す平面図で、隠れた部分を明確に示すため、ハウジングやシャーシは透視して図示されている。図２は図１の２−２線に沿った拡大側面図である。図面中、ディスクの移動は挿入方向の場合を前進（Ｆ方向）とし、逆方向の移動を後退（Ｒ方向）とする。
【００１３】
符号１１はクランプ機構で、クランプアーム１２の自由端に、回転自在に支持されたクランプリング１３によるクランプ作用で、ディスク１４ａ，１４ｂ（一般的には符号１４で示す）の中心部１５はターンテーブル１６の中心に整合する。ディスク１４ａ，１４ｂによって押動されるシフトバー１７には、ディスク１４ａ，１４ｂの外周縁Ｃ1，Ｃ2と係合する直立片１７ａが左右両端部を直角に折曲げて形成される。シフトバー１７は、クランプアーム１２に穿設した長溝１８をガイドにして、図中上下方向（ディスク１４の移動方向）に摺動可能で、シフトバー１７に植設され長溝１８に嵌合させた二本のガイドピン１７ｂに前後を誘導されて平行移動する。
【００１４】
さらに、シフトバー１７に植設した二本のガイドピン１７ｂの中央に連結ピン１７ｃが立設され、始動アーム２０の先端に穿設した長孔２１に摺動自在に嵌入される。始動アーム２０に植設された旋回軸２２はクランプアーム１２に穿設された直線溝２３をガイドにして図中左右方向（ディスク１４の移動方向に対して垂直方向）に摺動可能に支持され、始動アーム２０は旋回軸２２を中心に回動可能である。
【００１５】
また、始動アーム２０は、偏倚手段としてクランプアーム１２との間に引張コイルバネ２４が張設され、旋回軸２２を中心に図中時計方向に付勢されている。さらに、始動アーム２０には旋回軸２２から離間した位置にカムフォロアピン２５が植設され、クランプアーム１２に穿設された内接カム２６の内壁前縁に直線溝２３と平行に形成された直線部２６ａに当接して、引張コイルバネ２４の付勢力を支持し、始動アーム２０の自由な回動を阻止している。
【００１６】
搬送機構２７の上面ガイド板２８（図２参照）は、下面にディスク１４の上面を摺接させてターンテーブル１６の面と平行に案内する。上面ガイド板２８の下面では、ローラ２９が上面ガイド板２８に対して回転軸３０が平行に横設され、対向する上面ガイド板２８の下面と協働でディスク１４を挟持するように構成される。
【００１７】
また、上面ガイド板２８の上面にはディスク１４の挿入および排出を感知し、かつ直径の大小を識別するフォトセンサ３１ａ，３１ｂを含むプリント回路基板３２が配設され、ディスク１４の挿入を感知したとき駆動モータ３３が起動してローラ２９の回転軸３０に連結する歯車列３４を連動させ、ディスク１４をターンテーブル１６に送り込む方向（矢印Ｆ方向）にローラ２９を回転させる。
【００１８】
図７に詳細に示す摺動板３５に設けた係合部３６ａ，３６ｂにガイドされて、相対的摺動が可能なように摺動板３５に連結された摺動ラック３７は、摺動板３５との間に張設した引張コイルバネ３８によって駆動ピニオン３９から離間する方向に付勢されている。摺動板３５は駆動基盤４０の下面に沿ってディスクの移動方向に平行な前後方向（矢印Ｆ−Ｒ方向）に摺動可能に支持され、左右および上下方向（紙面に垂直な方向）の動きが制限されている。図示されるように、摺動ラック３７の噛合面をディスク面に対して垂直にしたことによって、上下方向の寸法に含まれるのは摺動ラック３７の板厚だけになるので、ハウジング５１は薄く構成できる。
【００１９】
摺動ラック３７後方の端部３７ａは、始動アーム２０の端部に設けた第一連係部４４ａまたは第二連係部４４ｂのいずれかが対向し、始動アーム２０の旋回動作で第一連係部４４ａまたは第二連係部４４ｂのいずれかが摺動ラック３７の端部３７ａに当接して摺動ラック３７を摺動板３５上で手前側（矢印Ｒ方向）に相対移動して歯部３７ｂを駆動ピニオン３９との噛合位置まで押動する。
【００２０】
図７（ａ）に示されるように、摺動板３５は、側方に延在させた板バネ４６の先端に突設したカムフォロア４８が駆動基盤４０に穿設したクランク状カム溝４７（二点鎖線で示す）の屈曲部位４７ｂに当接して移動が阻止されている。このため、第一連係部４４ａまたは第二連係部４４ｂのいずれかによって押動される摺動ラック３７は、摺動板３５との間に張設された引張コイルバネ３８を伸長しながらその付勢力に抗して摺動板３５に対して相対的に移動する。
【００２１】
図７（ｂ）に示されるように、摺動ラック３７は歯部３７ｂを駆動ピニオン３９に近接させながら、作用片４５でカムフォロア４８を押圧して摺動板３５の凹部４９に嵌入すると同時に、屈曲部位４７ｂの阻止を外してクランク状カム溝４７の誘導溝４７ａに進入させる。摺動ラック３７が駆動ピニオン３９との噛合により駆動される間、カムフォロア４８は、誘導溝４７ａの拘束によって凹部４９との咬合を保持する。これにより、摺動ラック３７は固設したストッパ３７ｃがカムフォロア４８に係止され、引張コイルバネ３８を伸長状態に保持したまま摺動板３５との相対位置が固定されて一体で移動する。
【００２２】
駆動ピニオン３９を逆転させると、摺動ラック３７の歯部３７ｂが駆動ピニオン３９との噛合を解除する位置に同期して、カムフォロア４８はクランク状カム溝４７の屈曲部位４７ｂに達し拘束が解かれる。ここで、摺動ラック３７のストッパ３７ｃは板バネ４６と協働でカムフォロア４８を凹部４９から押出して係止を解除する。摺動ラック３７は、引張コイルバネ３８の収縮力で図中上方（矢印Ｆ方向）に強制的に移動され、駆動ピニオン３９から完全に離間した初期状態に復帰する。摺動板３５の往復作動で、摺動板３５に形成された複数のカム３５ａ，３５ｂ，３５ｃ（図４参照）それぞれに係合する図示しないカムフォロアが連動して、クランプ機構１１、ターンテーブル１６および上面ガイド板２８ならびにこの上面ガイド板２８と連動関係にあるローラ２９の移動が制御される。
【００２３】
符号５０（図１，図３，図５，図６参照）は選択アームで、長さのほぼ中央が基盤４０を収納するハウジング５１に植設した旋回軸５２に回動自在に支持され、ハウジング５１との間に張設した引張コイルバネ５２ａによって図中反時計方向に付勢されている。選択アーム５０の片方の端部を屈曲させて形成した第一端部５０ａは上面ガイド板２８に設けた切欠２８ａを貫通して上面ガイド板２８の下面側に延在し、挿入される大径ディスク１４ｂの外周縁Ｃ2にのみ係合し、小径ディスク１４ａの外周縁Ｃ1には干渉しない。また他方の第二端部５０ｂは、始動アーム２０の第一連係部４４ａとの対向位置に配設される。
【００２４】
以下、図１〜図４に基づき、本発明に係わるディスクプレーヤ１０の動作について説明する。図１および図２に示される待機状態にあるディスクプレーヤ１０のディスク挿入口４２より小径ディスク（８ｃｍ）１４ａを挿入すると、ディスク検出用フォトセンサ３１ａに感知されて駆動モータ３３が起動し、ローラ２９が回転を開始する。小径ディスク１４ａは、下面がローラ２９の外周面に当接して摩擦伝動による駆動力を受け、上面ガイド板２８下面と摺接しながら水平に案内され、ターンテーブル１６に向かってテーブル面と平行に送り込まれる。
【００２５】
ローラ２９によって送り込まれた小径ディスク１４ａは、外周前縁Ｃ1がシフトバー１７の両端を折曲げた直立片１７ａに当接すると、ローラ２９から伝達される駆動力によってシフトバー１７を長溝１８に沿って図中上方（矢印Ｆ方向）に押動する。この動作によって、シフトバー１７に立設され、始動アーム２０の長孔２１に嵌入されている連結ピン１７ｃが長孔２１の内壁に当接して摺動しながら、始動アーム２０を旋回軸２２の周りに回動させる。始動アーム２０に植設されたカムフォロアピン２５は、引張コイルバネ２４の付勢力を受けながら、内接カム２６の第一カム部４３ａに沿って移動する。
【００２６】
カムフォロアピン２５が第一係止位置４３ｂに達して回動が抑止された始動アーム２０は、シフトバー１７を規制して小径ディスク１４ａの移動を阻止する。この位置で引張コイルバネ２４の付勢力が、カムフォロアピン２５をポケット４３ｃの引込位置にロックしてシフトバー１７の位置を確定し、小径ディスク１４ａを位置決めする。クランプ機構１１のチャッキング操作で、ターンテーブル１６中心部のテーパーボス面１６ａの円錐面による調心作用を受けた小径ディスク１４ａが整合位置に移行することで、小径ディスク１４ａの外周縁Ｃ1は、直立片１７ａから離間する。小径ディスク１４ａは、それまでの押動動作における当接状態から解放され、安定した回転を得ることができる。
【００２７】
始動アーム２０の回動によって、摺動ラック後方端部３７ａに当接した第一連係部４４ａは、歯部３７ｂが駆動ピニオン３９に噛合する位置まで、引張コイルバネ３８の付勢力に抗して摺動ラック３７を押動し、クランク状カム溝４７の誘導溝４７ａ入口の屈曲部位４７ｂにカムフォロア４８が当接して制動されている摺動板３５に対し摺動ラック３７の相対位置を移動する。摺動ラック３７は、駆動ピニオン３９による駆動が開始される位置で、作用片４５が強制的にカムフォロア４８を凹部４９に嵌入して摺動板３５を一体化し、誘導溝４７ａに沿ってカムフォロア４８を拘束しながら手前側（矢印Ｒ方向）に移動する。
【００２８】
摺動板３５に設けたカム３５ａが、摺動板３５の摺動動作によって機能し、クランプ機構１１のチャッキング動作で、小径ディスク１４ａはターンテーブル１６中央に突出する外周に形成したボスのテーパー面に押圧させることによって整合される。シフトバー１７が第一係止位置４３ｂに拘束されているので、チャッキング動作によって中心が整合位置に後退した小径ディスク１４ａの外周縁Ｃ1は、それまで押動していたシフトバー１７の直立片１７ａから離間する。
【００２９】
さらに摺動板３５の摺動動作によって、搬送機構２７は、それまで駆動のために接していたローラ２９と小径ディスク１４ａの下面との間に隙間を確保すると同時に、それまで摺接してガイドしていた上面ガイド板２８下面と小径ディスク１４ａ上面との間に隙間を確保し再生状態を形成する。この結果、小径ディスク１４ａは外部周辺部材の干渉を全く受けることなく自由に回転することができる。フォトセンサ３１ａは小径ディスク１４ａの外側に位置し、フォトセンサ３１ｂは小径ディスク１４ａの内側に位置するから、両者が発生する感知信号によって、再生されるディスク径の大小を確認することができる。摺動板３５は最大ストローク位置で図示しないリミットスイッチを作動し、駆動ピニオン３９の回転を停止する。
【００３０】
次に再生を終了した小径ディスク１４ａの排出動作について説明する。再生終了時には図示しない電気回路のスイッチ操作によって駆動ピニオン３９を逆転させ、摺動ラック３７を図中上方（矢印Ｆ方向）に移動させる。摺動板３５に設けたカム３５ａ，３５ｂ，３５ｃは摺動ラック３７と共に逆方向に移動するので、小径ディスク１４ａは上下両面から当接する上面ガイド板２８とローラ２９によって挟持される。一方、クランプ機構１１は上方に開いて小径ディスク１４ａのチャッキングを解除し、ターンテーブル１６は小径ディスク１４ａの下面から離間位置に退避して初期の待機状態となる。このとき、搬送機構２７のローラ２９は逆回転しているので、小径ディスク１４ａは、挿入口４２から排出される。
【００３１】
摺動ラック３７の図中上方（矢印Ｆ方向）移動によって、摺動ラック後端のテーパー部３７ｄが始動アーム２０の第一連係部４４ａに接し、さらに摺動ラック３７が図中上方（矢印Ｆ方向）移動するとテーパー部３７ｄの斜面の作用で、始動アーム２０が中心方向（図中矢印Ｂ方向）に押動され、始動アーム２０を第一係止位置４３ｂに拘束しているカムフォロアピン２５がポケット４３ｃから押出される。そして始動アーム２０は、クランプアーム１２との間に張設した引張コイルバネ２４の付勢力で時計方向に回動し、初期の待機状態に復帰する。
【００３２】
このとき、歯部３７ｂは駆動ピニオン３９との噛合を解除する位置にあって、上記したように、摺動ラックのストッパ３７ｃはカムフォロア４８を凹部４９から押出して係止を解除する。そこで、摺動板３５と摺動ラック３７との一体化は解消され、ストッパ３７ｃに保持されていた引張コイルバネ３８の付勢力の作用で、摺動ラック３７は歯部３７ｂが駆動ピニオン３９から離間した初期位置に復帰して待機状態となる。小径ディスク１４ａの排出完了はフォトセンサ３１ｂで確認することができる。
【００３３】
次に、図５に基づいて本発明に係わるディスクプレーヤ１０に大径ディスク（１２ｃｍ）１４ｂを適用する場合の動作について説明する。図１および図２に示される待機状態にあるディスクプレーヤ１０のディスク挿入口４２より大径ディスク１４ｂを挿入すると、ディスク検出用フォトセンサ３１ａに感知されて駆動モータ３３が起動し、ローラ２９が回転を開始する。
【００３４】
図５に示すように、挿入された大径ディスク１４ｂの外周縁Ｃ2が、選択アーム５０の第一端部５０ａに当接し、選択アーム５０はローラ２９によって送り込まれる大径ディスク１４ｂに追随して揺動し、引張コイルバネ５２ａの付勢力に抗して、旋回軸５２を中心に図中時計方向に回動する。この動作によって、選択アーム５０の第二端部５０ｂは、始動アーム２０の第一連係部４４ａに当接して、始動アーム２０を図中右方向（矢印Ｂ方向）に押動する。
【００３５】
始動アーム２０は旋回軸２２とカムフォロアピン２５とを規制している直線溝２３と内接カム２６の前縁直線部２６ａに沿って、図中右方向に平行移動しながら大径ディスク１４ｂの外周縁Ｃ2が押動するシフトバー１７の移動によってカムフォロアピン２５を第一カム部４３ａの領域から第二カム部５３ａの領域に移行する。第一端部５０ａは大径ディスク１４ｂの進行方向に直交する直径部分に相当する外周縁Ｃ2との摺接頂点Ｃmaxで外側に向けて最大変位し、その後は初期位置に復帰する方向に回動する。カムフォロアピン２５を内接カム前縁２６から第二カム部５３ａに移行させるための案内溝は特に設けないが、カムフォロアピン２５は、シフトバー１７の縦移動と、選択アーム５０の揺動に連動する始動アーム２０の横移動とが協働で画定する室内の経路を自由な平面運動で移行する。この機構における大径ディスク１４ｂの排出動作は、全く逆の順序を辿って行われることになるが、全く抵抗なく初期の待機位置に復帰できる。
【００３６】
この動作で選択アームの第二端部５０ｂは、始動アーム２０の第一連係部４４ａから離間する方向に回動し、カムフォロアピン２５はクランプアーム１２との間に張設した引張コイルバネ２４の付勢力を受けて第二カム部５３ａに当接する。そして摺動ラック後方の端部３７ａには、始動アーム２０の第二連係部４４ｂが対向する。この間、大径ディスク１４ｂの外周縁Ｃ2は、小径ディスク１４ａの場合と同様に、シフトバー１７の直立片１７ａに当接すると、ローラ２９から伝達される駆動力によってシフトバー１７を長溝１８に沿って図中上方（矢印Ｆ方向）に押動する。
【００３７】
図中上方（矢印Ｆ方向）に移動するシフトバー１７に連動して、始動アーム２０は旋回軸２２の周りに回動し、カムフォロアピン２５は引張コイルバネ２４の付勢力を受けながら第二カム部５３ａに沿って第二係止位置５３ｂへ向けて移動する。カムフォロアピン２５が第二係止位置５３ｂに達すると、回動が抑止された始動アーム２０に作用する引張コイルバネ２４の付勢力でカムフォロアピン２５がポケット５３ｃに引込まれてロックされる。このため、始動アーム２０の規制を受けるシフトバー１７は、位置が確定して大径ディスク１４ｂの移動が阻止され、大径ディスク１４ｂの中心を小径ディスク１４ａの中心と同じ位置に位置決めする。
【００３８】
クランプ機構１１のチャッキング操作で、ターンテーブル１６中心部のテーパーボス面の作用を受けた大径ディスク１４ｂが整合位置に移行することで、大径ディスク１４ｂの外周縁Ｃ2は、直立片１７ａから離間し、それまでの押動動作における当接状態から解放されるので、小径ディスク１４ａの場合と同様に、無接触で安定した回転が得られる（図６参照）。
【００３９】
小径ディスク１４ａの場合と異なり、始動アーム２０の回動で、第一連係部４４ａに代えて第二連係部４４ｂが摺動ラック端部３７ａに当接し、歯部３７ｂが駆動ピニオン３９に噛合する位置まで引張コイルバネ３８の付勢力に抗して摺動ラック３７を押動し、カムフォロア４８がカム溝の屈曲部位４７ｂに当接して制動されている摺動板３５に対し相対位置を移動する動作は小径ディスク１４ａの場合と全く同様に行われる。
【００４０】
その後の摺動板３５に設けたカムが摺動板３５の移動によって大径ディスクに対して機能する作用は、小径ディスク１４ａの場合と全く同様であり、大径ディスク１４ａの排出動作は、小径ディスク１４ａの場合と全く同様で、挿入時に機能させた選択アーム５０とは関わりなく行われるので説明を省略する。
【００４１】
【発明の効果】
以上の説明で明らかなように、本発明に係わるディスクプレーヤによれば、大径または小径のディスクに対して、始動アームの旋回を制御する第一、第二カムの終端それぞれの第一、第二係止位置において、始動アームが旋回軸とカムフォロアピンの二点で決定される位置に拘束されて、シフトバーの位置を規制するので、直径の大小に関係なく、ディスクの中心は同一位置に整合させて確実に位置決めすることができる。またターンテーブルとの相対位置が固定された内接カムで始動アームを規制するので、動作の確実性を損なうことなく機構の簡略化とともに部品点数が削減され、ディスクプレーヤを薄型に構成することができる。
【００４２】
さらにこのことによって、例えば車載用として、あるいはパーソナルコンピュータ等の組込み用として狭隘な場所にも防振部材を外付けしてフローティング状態で容易に収納させることができる。このように、直径の異なるディスクの送り込み動作を、位置の検出や設定に光センサやソレノイド等の高価な部材を用いることなく機械的な構成で正確に行うことができるので、製造コストを大幅に削減することができる。
【図面の簡単な説明】
【図１】本発明に係わるディスクプレーヤにおける小径ディスクのローディング状態を示す概略の平面図である。
【図２】図１の２−２線に沿った拡大側面図である。
【図３】本発明に係わるディスクプレーヤにおいて小径ディスクをセットした状態を示す概略の平面図である。
【図４】図３の４−４線に沿った拡大側面図である。
【図５】本発明に係わるディスクプレーヤにおいて大径ディスクのローディング状態を示す概略の平面図である。
【図６】本発明に係わるディスクプレーヤにおいて大径ディスクをセットした状態を示す概略の平面図である。
【図７】本発明に係わるディスクプレーヤにおける摺動ラックと摺動板の関係を説明するために拡大図示した概略の平面図で、（ａ）は相対移動可能な状態、（ｂ）は一体で移動する状態を示す。
【符号の説明】
１０  ディスクプレーヤ
１２  クランプアーム
１４  ディスク
１６  ターンテーブル
１７  シフトバー
１８  長溝
２０  始動アーム
２５  カムフォロアピン
２６  内接カム
２８  上面ガイド板
２９  ローラ
３３  駆動モータ
３４  歯車列
３５  摺動板
３７  摺動ラック
３９  駆動ピニオン
５０  選択アーム
５０ａ  第一端部
５０ｂ  第二端部
【図１】
0004621372.tif 000002
【図２】
0004621372.tif 000003
【図３】
0004621372.tif 000004
【図４】
0004621372.tif 000005
【図５】
0004621372.tif 000006
【図６】
0004621372.tif 000007
【図７】
0004621372.tif 000008